(57)【要約】【課題】消費電力が少なく、部品コストを低減でき、なおかつ、少ないシステムリソースで、電源電圧に依存せずに精度の高い露出制御装置を提供する。【解決手段】二次電池電圧で直接駆動するシャッター制御手段において、前記シャッター制御手段はＯＦＦ時間を固定としたチョッパー式の定電流制御方式でシャッターを駆動するシャッター・ドライブ・ブロックと、二次電池電圧の電圧値に応じてＯＦＦ時間を切り換えるＯＦＦ時間切替ブロックと、二次電池電圧の電圧値に応じて電流の立上り時定数を制御する立上り制御ブロックを備え、二次電池電圧がある電圧閾値Ｖｔよりも低い時には、ＯＦＦ時間を短くし、かつ、立上り制御を行う制御モードとし、二次電池電圧がある電圧閾値Ｖｔよりも高い時には、ＯＦＦ時間を長くし、かつ、立上り制御を行わない制御もモードとすることにより、二次電池電圧に依存しない高い露出精度が得られる露出制御装置。【選択図】図５
2007133141.tif 000002
【特許請求の範囲】
【請求項１】
二次電池によって駆動されるカメラ装置における露出制御装置において、
二次電池電圧検出手段と、シャッター制御手段を有し、
前記シャッター制御手段は、
二次電池により直接駆動され、チョッパー方式でＯＦＦ時間を固定長としてピーク電流を一定に制御するシャッター・ドライブ・ブロックと、
二次電池電圧検出手段より得られる二次電池電圧に応じて異なるＯＦＦ時間を切り替えるＯＦＦ時間切替ブロックと、
シャッターに通電する電流を決める電流指令値をある時定数によって徐々に印加しながらシャッターを駆動する立ち上がり制御を行うモードと、電流指令値を最初から印加された状態からシャッターを駆動する立ち上がり制御を行わないモードのどちらかを選択する立ち上がり制御ブロックと、
を備えることを特徴とする露出制御装置。
【請求項２】
請求項１記載の露出制御装置において、
前記二次電池電圧検出手段により得られた二次電池電圧が電圧閾値よりも低いときには、
シャッター制御手段を構成するＯＦＦ時間切替ブロックは、ＯＦＦ時間が短い方を選択し、
シャッター制御手段を構成する立ち上がり制御ブロックは、立ち上がり制御を行うモードを選択してシャッターを駆動し、
二次電池電圧検出手段により得られた二次電池電圧が電圧閾値よりも高いときには、
シャッター制御手段を構成するＯＦＦ時間切替ブロックは、ＯＦＦ時間が長い方を選択し、
シャッター制御手段を構成する立ち上がり制御ブロックは、立ち上がり制御を行わないモードを選択してシャッターを駆動する
ことを特徴とする露出制御装置。
【請求項３】
請求項２記載の露出制御装置において、
前記ＯＦＦ時間切替ブロックの短い方のＯＦＦ時間は、回路構成上可能な限り短いことを特徴とする露出制御装置。
【請求項４】
請求項２記載の露出制御装置において、
前記ＯＦＦ時間切替えブロックは、２つの異なるＯＦＦ時間を切替えることを特徴とする露出制御装置。
【請求項５】
請求項２記載の露出制御装置において、
前記ＯＦＦ時間切替ブロックは、３つ以上の異なるＯＦＦ時間を切替えることを特徴とする露出制御装置。
【発明の詳細な説明】
【技術分野】
【０００１】
本発明は露出制御装置に関し、特にスチルカメラ等において高精度な露出を得るためのシャッター駆動法に関するものである。
【背景技術】
【０００２】
従来、携帯型電子機器は二次電池からの電圧をうけて、レギュレータを介して出力された電圧を電源として各ブロックへ供給されている。しかし、レギュレータを介することにより、レギュレータでの損失、また、レギュレータにかかるコストは無視できないものであり、これらの低減が大きな課題の一つであった。
【０００３】
そのような状況下で、アクチュエータの駆動源にレギュレータを介した電圧を使用するのでなく、二次電池等からの電圧を直接駆動源とし、従来のレギュレータでの損失はゼロとなり、また、レギュレータの構成部品のコイルなど、高価な部品を削減することができる。
【０００４】
このため、シャッター駆動装置においては、シャッター駆動精度を確保するために定電流制御をすることが一般的である。この定電流制御の実現方法として、アナログ式の定電流制御とチョッパー式の定電流制御の２つの方式があるが、チョッパー式の定電流制御を用いた方が、アナログ式定電流制御を用いるよりも消費電力が半分近くに低減することができ有利である。
【０００５】
しかし、チョッパー方式の定電流制御では、予め設定された電流値にピーク電流が一定となるように制御するため、バッテリ等の二次電池で直接駆動した場合、シャッタースピードおよびシャッター精度を左右する電流の立ち上がり時定数と、シャッターに通電される平均電流が二次電池の電圧によって変化してしまい、シャッターの駆動精度を悪化させる原因となっていた。
【０００６】
前記駆動精度を悪化させる原因の前者、電流の立ち上がり時定数が変わってしまうことに対しては、従来アナログ式の定電流制御において一般的に行われている立ち上がり時定数が二次電池電圧によって変化しないよう十分に長い時定数を持ったフィルタを入れることによって解消できる。
【０００７】
しかしながら、シャッター駆動電流の平均電流は依然、二次電池電圧によって変化してしまうため、立ち上がり制御を行っただけでは、シャッター精度を向上させることは出来ない。
【０００８】
つまり、二次電池電圧に依存して平均電流が変化する点について解決しなければ、精度の良いシャッター駆動は不可能である。
【０００９】
それに対して、制御する電流値をＤＡコンバータの出力電圧により決定し、二次電池電圧によって可変させる事により、平均値電流を一定に保つという方法が知られている。
【００１０】
しかしながら、このような、ＤＡコンバータを利用した方法は、従来の電子カメラ等の露出制御装置においては、リソースに限りがあるためＤＡコンバータのような特殊用途の信号を利用できない場合があった。
【００１１】
また、それぞれの二次電池電圧値に対応した設定電流値を記憶装置内に保存しておく必要があり、多くのメモリ容量を必要とし、チョッパー式の定電流制御をシャッター駆動に用いて、二次電池電圧によって直接駆動するには、システム構成上多くの制約があった。
【特許文献１】特開平５−３４１３４９号公報
【発明の開示】
【発明が解決しようとする課題】
【００１２】
本発明では、ＯＦＦ時間を固定としたチョッパー式ピーク電流制御をシャッター駆動に用いて、二次電池電圧で直接駆動した場合の特性を利用することにより上述のような制約をクリアし、より精度の高いシャッター駆動を実現する。
【００１３】
ＯＦＦ時間を固定としたチョッパー式の定電流制御をシャッター駆動に用いて、二次電池電圧によって直接駆動した場合の特性について、図１、図２の模式図を用いて、以下に述べる。
【００１４】
［定電流制御に入るまでの一発目の立ち上がりに起因する特性］
二次電池電圧が低い時には、電流の立ち上がりが遅くなり、有効露出時間を長くする要因となり、二次電池電圧が高いときには、電流の立ち上がりが速くなり、有効露出時間を短くする要因となる。
【００１５】
［定電流制御時の平均電流に起因する特性］
二次電池電圧が高い時には、電流の立ち上がり方が速くなるため、リミッタが働くピーク電流にまで電流が到達するまでの時間が短くなり、ＯＮ／ＯＦＦ一周期の中に占めるＯＮ時間の割合は小さくなる。従って平均電流は小さくなり、有効露出時間が長くなる要因となる。
【００１６】
二次電池電圧が低い時には、電流の立ち上がり方が遅くなるため、リミッタが働くピーク電流にまで電流が到達するまでの時間が長くなり、ＯＮ／ＯＦＦ一周期の中に占めるＯＮ時間の割合は大きくなる。従って平均電流は大きくなり、有効露出時間が短くなる要因となる。
【００１７】
（一発目の立上がりに起因する特性と平均電流に起因する特性の住み分けについて）
また、ＯＦＦ時間が短い時には、定電流制御に入る前の一発目の立ち上がりに起因する特性が、定電流制御時の平均電流に起因する特性よりも強く働き、ＯＦＦ時間が長い時には、定電流制御時の平均電流に起因する特性が、定電流制御に入る前の一発目の立ち上がりに起因する特性よりも強く働く。
【００１８】
さらに、二次電池電圧が低い時には、定電流制御に入る前の一発目の立ち上がりに起因する特性が、定電流制御時の平均電流に起因する特性よりも強く働き、二次電池電圧が高い時には、定電流制御時の平均電流に起因する特性が、定電流制御に入る前の一発目の立ち上がりに起因する特性よりも強く働く。
【００１９】
これについて、立ち上がり制御を行わなかった場合、立ち上がり制御を行った場合について分けて、二次電池電圧と有効露出時間の関係について述べる。
【００２０】
立ち上がり制御を行わなかった場合の特性について図３を用いて述べる。
【００２１】
（ｉ）ＯＦＦ時間が短いＴｓと設定した場合、
「二次電池電圧が低い時、有効露出時間が長く、二次電池電圧が高い時、有効露出時間が短い」
という図３（ａ）のような特性を示す。
【００２２】
一方、
（ii）ＯＦＦ時間がＴｓよりも長いＴｍ（Ｔｓ＜Ｔｍ＜ＴＬ）と設定した場合、二次電池電圧がある電圧値Ｖｔよりも低いときには、
「二次電池電圧が低いほど有効露出時間が長く、二次電池電圧が高いほど（ある電圧値に近いほど）有効露出時間が短い」
というアナログ式定電流制御でシャッターを駆動したときと同様な特性を示し、二次電池電圧がある電圧値Ｖｔよりも高いときには、
「二次電池電圧に依存せず有効露出時間が一定となるようシャッター制御が可能となる。」
という図３（ｂ）のような特性を示す。
【００２３】
さらに、
（iii）ＯＦＦ時間がＴｍよりも長いＴＬ（Ｔｍ＜ＴＬ）と設定した場合、
「二次電池電圧が低いほど有効露出時間が短く、二次電池電圧が高いほど有効露出時間が長い」
という図３（ｃ）のような特性を示す。
【００２４】
このように、ＯＦＦ時間固定のチョッパー式のピーク電流制御をシャッター駆動に用いた場合、（ii）に示すような条件により、ある電圧値Ｖｔよりも高い電圧範囲において有効露出時間を一定にすることは可能であるが、ある電圧値Ｖｔよりも低い電圧範囲においては、有効露出時間に変動を生じてしまい、全電圧範囲において精度の良いシャッター駆動がすることが出来ない。
【００２５】
立ち上がり制御を行った場合の特性について図４を用いて述べる。
【００２６】
また、ＯＦＦ時間を固定としたチョッパー式ピーク電流制御でのシャッター駆動を立ち上がり制御を行った場合、
（ｉ）ＯＦＦ時間をＴｍよりも短いＴｓ設定した場合、
「二次電池電圧がある電圧値Ｖｔよりも短い時には、電圧値に依存せず有効露出時間が一定となり、Ｖｔよりもよりも高いときには、電圧が低いほど（ある電圧値Ｖｔに近いほど）有効露出時間は短く、電圧が高いほど有効露出時間が長い」
という図４（ａ）のような特性を示す。
【００２７】
（ii）ＯＦＦ時間をＴｍに設定した場合、
「二次電池電圧が低いほど有効露出時間が短く、二次電池電圧が高いほど有効露出時間が長い」
というアナログ式定電流制御をバッテリ電圧で駆動した時とは逆の図４（ｂ）のような特性を示す。
【００２８】
このように、アナログ式の定電流制御では効果を発揮していた立上り制御も、ＯＦＦ時間を固定としたチョッパー式ピーク電流制御を用いたシャッター駆動では、（ｉ）に示すような条件により、電圧値がＶｔよりも低い電圧範囲において、有効露出時間を一定に制御することができるが、電圧値がＶｔよりも高い電圧範囲では有効露出時間に変動を生じてしまい、全電圧範囲において有効露出時間を一定に制御することが出来ない。
【００２９】
本発明では、図５に示すように二次電池電圧がある電圧値Ｖｔよりも低い時と、二次電池電圧がある電圧値Ｖｔよりも高い時でＯＦＦ時間を切替え、立ち上がり制御のＯＮ／ＯＦＦを切替えながらシャッターを駆動することにより、
以上に述べたような、立ち上がり制御を行ったときの利点である、ある電圧値Ｖｔより低いときにはＯＦＦ時間が短いＴｓとなるよう設定し、立ちあがり制御を行うことにより、有効露出時間を一定に制御出来ること、
と、
立ち上がり制御を行わなかったときの利点である、ある電圧値Ｖｔより高いときにはＯＦＦ時間がＴｓよりも長いＴｍとなるよう設定し、立ちあがり制御を行わないことにより、有効露出時間を一定に制御出来ること、
を取り入れることにより、全電圧範囲において有効露出時間を一定に制御することが可能となる。
【００３０】
本発明によれば、ＤＡコンバータのような特殊用途の信号線を使用することなく、汎用ポート１本のみで実現することができ、なおかつ、設定値を格納するメモリ領域を必要とせず、効果的である。
【００３１】
また、チョッパー式の電流制御によりシャッターを駆動することにより、消費電力をアナログ式の電流制御によりシャッターを駆動するよりも半分近くに低減することが可能となる。
【００３２】
さらに、チョッパー式定電流制御を用いたシャッター駆動と同様に消費電力を低減できるＰＷＭ式定電流制御を用いてシャッター駆動を行う場合と比較した場合でも、システム制御回路中にパルス幅変調制御信号のデューティーを変えることができる出力ポートが必要なく、スピードやタイミングに制約の内汎用のＩ／Ｏポートを利用して容易にシステムを実現でき有利である。
【課題を解決するための手段】
【００３３】
本発明に係る露出制御装置に於いては、第１に、
二次電池によって駆動されるカメラ装置における露出制御装置において、
二次電池電圧検出手段と、シャッター制御手段を有し、
前記シャッター制御手段は、
二次電池により直接駆動され、チョッパー方式でＯＦＦ時間を固定長としてピーク電流を一定に制御するシャッター・ドライブ・ブロックと、
二次電池電圧検出手段より得られる二次電池電圧に応じて異なるＯＦＦ時間を切り替えるＯＦＦ時間切替ブロックと、
シャッターに通電する電流を決める電流指令値をある時定数によって徐々に印加しながらシャッターを駆動する立ち上がり制御を行うモードと、電流指令値を最初から印加された状態からシャッターを駆動する立ち上がり制御を行わないモードのどちらかを選択する立ち上がり制御ブロックと、
を備えることを特徴とする露出制御装置。
【００３４】
第２に、
前記二次電池電圧検出手段により得られた二次電池電圧が電圧閾値よりも低いときには、
シャッター制御手段を構成するＯＦＦ時間切替ブロックは、ＯＦＦ時間が短い方を選択し、
シャッター制御手段を構成する立ち上がり制御ブロックは、立ち上がり制御を行うモードを選択してシャッターを駆動し、
二次電池電圧検出手段により得られた二次電池電圧が電圧閾値よりも高いときには、
シャッター制御手段を構成するＯＦＦ時間切替ブロックは、ＯＦＦ時間が長い方を選択し、
シャッター制御手段を構成する立ち上がり制御ブロックは、立ち上がり制御を行わないモードを選択してシャッターを駆動する
ことを特徴とする露出制御装置。
【００３５】
第３に、
前記ＯＦＦ時間切替ブロックの短い方のＯＦＦ時間は、回路構成上可能な限り短いことを特徴とする露出制御装置。
【００３６】
第４に、
前記ＯＦＦ時間切替えブロックは、２つの異なるＯＦＦ時間を切替えることを特徴とする露出制御装置。
【００３７】
第５に、
前記ＯＦＦ時間切替ブロックは、３つ以上の異なるＯＦＦ時間を切替えることを特徴とする露出制御装置。
【００３８】
上記手段により、シャッターの精度を左右する二次電池の電圧の変化に依存することなく、有効露出時間を一定となるようシャッターを制御することが出来、それにより高精度なシャッター駆動が可能となり、より高精度な露出制御が可能となる。
【００３９】
また、二次電池電圧の変化に応じて設定電流を可変させる構成等と比較して、ＤＡコンバータ等の機能を必要とせず、さらに、二次電池電圧に応じた設定電流値を格納しておくためのメモリ領域を必要としないため、リソースの節減が可能となる。
【００４０】
また、チョッパー式定電流制御を用いてシャッター駆動を行うことにより、消費電力を従来の半分近くに低減することが可能となることは、言うまでもない。
【００４１】
さらに、チョッパー式定電流制御を用いたシャッター駆動と同様に消費電力を低減できるＰＷＭ式定電流制御を用いてシャッター駆動を行う場合と比較した場合でも、システム制御回路中にパルス幅変調制御信号のデューティーを変えることができる出力ポートが必要なく、スピードやタイミングに制約の内汎用のＩ／Ｏポートを利用して容易にシステムを実現でき有利である。
【発明の効果】
【００４２】
本発明によれば、第１に、
二次電池の電圧値が変化しても、それに応じた電流設定値をあたえ、電流平均値を一定に保つことにより、シャッター駆動精度を向上することができ、高精度な露出制御装置を提供することが可能となる。
【００４３】
そして、第２に、
設定電流値の出力をＳＷ２に押されている時だけに限定することにより、省電力化を図ることを特徴とする露出制御装置を提供することが可能となる。
【００４４】
そして、第３に、
ＳＷ１が押された時に二次電池の電圧検知を行いＳＷ２が押された瞬間に設定電流値の出力を行うことにより、二次電池の電圧検知に要する時間分のレリーズタイムラグを削減することを特徴とする露出制御装置を提供することが可能となる。
【発明を実施するための最良の形態】
【００４５】
以下本発明を実施するための最良の形態を、実施例により詳しく説明する。
【実施例】
【００４６】
（第１の実施例）
以下、図面を参照して本発明の実施例を説明する。
【００４７】
図６は、本発明の実施例の構成を示す図である。
【００４８】
図６において、１００は画像処理装置である。
【００４９】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００５０】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００５１】
２０は画像処理回路であり、Ａ／Ｄ変換器１６からのデータ或いはメモリ制御回路２２からのデータに対して所定の画素補間処理や色変換処理を行う。
【００５２】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００５３】
さらに、画像処理回路２０においては、撮像した画像データを用いて所定の演算処理を行い、得られた演算結果に基づいてＴＴＬ方式のＡＷＢ（オートホワイトバランス）処理も行っている。
【００５４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００５５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００５６】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００５７】
画像表示部２８を用いて撮像した画像データを逐次表示すれば、電子ファインダ機能を実現することが可能である。
【００５８】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００５９】
３０は撮影した静止画像や動画像を格納するためのメモリであり、所定枚数の静止画像や所定時間の動画像を格納するのに十分な記憶量を備えている。
【００６０】
これにより、複数枚の静止画像を連続して撮影する連射撮影やパノラマ撮影の場合にも、高速かつ大量の画像書き込みをメモリ３０に対して行うことが可能となる。
【００６１】
また、メモリ３０はシステム制御回路５０の作業領域としても使用することが可能である。
【００６２】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００６３】
４０はシャッター制御手段５００と絞り制御手段５０２で構成される露光制御手段であり、絞り機能を備えるシャッター１２を制御する。
【００６４】
シャッター制御手段５００は図７のシャッター制御手段構成図に示すように、シャッター・ドライブ・ブロック５１０と、ＯＦＦ時間切替えブロック５１２と、立ち上がり制御ブロック５１４とから構成され、システム制御回路５０は、二次電池電圧検知手段５０４から得られた二次電池電圧Ｖｓが予め決められた電圧閾値Ｖｔよりも低いときに、ＯＦＦ時間切替ブロックに対してＯＦＦ時間切り替え信号に“Ｈ”を出力し、ＯＦＦ時間をＴｓに設定し、なおかつ立ち上がり制御ブロックにおいて立上がり制御ＯＮとしたシャッター駆動モードを選択する。
【００６５】
システム制御回路５０は、二次電池電圧検知手段５０４から得られた二次電池電圧Ｖｓが予め決められた電圧閾値Ｖｔよりも高いときに、ＯＦＦ時間切替ブロックに対してＯＦＦ時間切り替え信号に“Ｌ”を出力し、ＯＦＦ時間をＴＬに設定し、なおかつ立ち上がり制御ブロックにおいて立上がり制御ＯＦＦとしたシャッター駆動モードを選択する。
【００６６】
また、露出制御手段４０は、フラッシュ４８と連携することによりフラッシュ調光機能も有するものである。
【００６７】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００６８】
４８はフラッシュであり、ＡＦ補助光の投光機能、フラッシュ調光機能も有する。
【００６９】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００７０】
５０は画像処理装置１００全体を制御するシステム制御回路、５２はシステム制御回路５０の動作用の定数、変数、プログラム等を記憶するメモリである。
【００７１】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００７２】
また、表示部５４は、その一部の機能が光学ファインダ１０４内に設置されている。
【００７３】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００７４】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００７５】
５６は電気的に消去・記録可能な不揮発性メモリであり、例えばＥＥＰＲＯＭ等が用いられる。
【００７６】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００７７】
ここで、これらの操作手段の具体的な説明を行う。
【００７８】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００７９】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００８０】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００８１】
６６は画像表示ＯＮ／ＯＦＦスイッチで、画像表示部２８のＯＮ／ＯＦＦを設定することが出来る。
【００８２】
この機能により、光学ファインダ１０４を用いて撮影を行う際に、ＴＦＴ  ＬＣＤ等から成る画像表示部への電流供給を遮断することにより、省電力を図ることが可能となる。
【００８３】
６８はクイックレビューＯＮ／ＯＦＦスイッチで、撮影直後に撮影した画像データを自動再生するクイックレビュー機能を設定する。
【００８４】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００８５】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００８６】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００８７】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００８８】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００８９】
インターフェース及びコネクタとしては、ＰＣＭＣＩＡカードやＣＦ（コンパクトフラッシュ(登録商標)）カード等の規格に準拠したものを用いて構成して構わない。
【００９０】
さらに、インターフェース９０及び９４、そしてコネクタ９２及び９６をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００９１】
１０２は、画像処理装置１００のレンズ１０を含む撮像部を覆う事により、撮像部の汚れや破損を防止するバリアである保護手段である。
【００９２】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００９３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００９４】
１１２は通信手段１１０により画像処理装置１００を他の機器と接続するコネクタ或いは無線通信の場合はアンテナである。
【００９５】
２００はメモリカードやハードディスク等の記録媒体である。
【００９６】
記録媒体２００は、半導体メモリや磁気ディスク等から構成される記録部２０２、画像処理装置１００とのインターフェース２０４、画像処理装置１００と接続を行うコネクタ２０６を備えている。
【００９７】
２１０はメモリカードやハードディスク等の記録媒体である。
【００９８】
記録媒体２１０は、半導体メモリや磁気ディスク等から構成される記録部２１２、画像処理装置１００とのインターフェース２１４、画像処理装置１００と接続を行うコネクタ２１６を備えている。
【００９９】
図８乃至図１３を参照して、第１の実施例の動作を説明する。
【０１００】
図８及び図９は本実施例における画像処理装置１００の主ルーチンのフローチャートを示す。
【０１０１】
図８及び図９を用いて、画像処理装置１００の動作を説明する。
【０１０２】
電池交換等の電源投入により、システム制御回路５０はフラグや制御変数等を初期化し（Ｓ１０１）、画像表示部２８の画像表示をＯＦＦ状態に初期設定する（Ｓ１０２）。
【０１０３】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【０１０４】
モードダイアル６０が撮影モードに設定されていたならば（Ｓ１０３）、Ｓ１０６に進む。
【０１０５】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【０１０６】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【０１０７】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【０１０８】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がＯＮであったならば、画像表示部２８を用いて画像や音声により画像処理装置１００の各種設定状態の表示を行う。
【０１０９】
システム制御回路５０は、画像表示ＯＮ／ＯＦＦスイッチ６６の設定状態を調べ（Ｓ１１３）、画像表示ＯＮに設定されていたならば、画像表示フラグを設定すると共に（Ｓ１１４）、画像表示部２８の画像表示をＯＮ状態に設定し（Ｓ１１５）、さらに撮像した画像データを逐次表示するスルー表示状態に設定して（Ｓ１１６）、Ｓ１１９に進む。
【０１１０】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダ機能を実現している。
【０１１１】
画像表示ＯＮ／ＯＦＦスイッチ６６が画像表示ＯＦＦに設定されていたならば（Ｓ１１３）、画像表示フラグを解除すると共に（Ｓ１１７）、画像表示部２８の画像表示をＯＦＦ状態に設定して（Ｓ１１８）、Ｓ１１９に進む。
【０１１２】
画像表示ＯＦＦの場合は、画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。
【０１１３】
なお、画像表示フラグの状態は、システム制御回路５０の内部メモリ或いはメモリ５２に記憶する。
【０１１４】
以下に、ＳＷ１が押される際の動作を記述する。
【０１１５】
シャッタースイッチＳＷ１が押されていないならば（Ｓ１１９）、Ｓ１０３に戻る。
【０１１６】
シャッタースイッチＳＷ１が押されたならば（Ｓ１１９）、システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。
【０１１７】
この測距・測光処理Ｓ１２２の詳細は図６を用いて後述する。
【０１１８】
測距・測光処理Ｓ１２２を終えたならば、システム制御回路５０は二次電池電圧の検出手段５０４の検出結果（Ｓ５００）を受けて、得られた二次電池電圧Ｖｓと予め決められた電圧値Ｖｔとを比較し、シャッター駆動モードを決定する（Ｓ５０２）。
【０１１９】
次に、このシャッター駆動モードの決定ルーチンについて図１０を用いて説明する。
【０１２０】
二次電池電圧の検出手段５０４より得られた二次電池電圧Ｖｓと予め決められた電圧値Ｖｔとを比較し（Ｓ６０１）、二次電池電圧Ｖｓが予め決められた電圧閾値Ｖｔよりも低いときにＯＦＦ時間切り替え信号を“Ｈ”を出力し、ＯＦＦ時間をＴｓに設定された回路ブロックを選択し（Ｓ６０２）、なおかつ立上がり制御ＯＮを選択し（Ｓ６０３）、シャッター駆動を行う準備を完了する。
【０１２１】
二次電池電圧Ｖｓが予め決められた電圧閾値Ｖｔよりも高いときにＯＦＦ時間切り替え信号に“Ｌ”を出力し、ＯＦＦ時間をＴＬに設定された回路ブロックを選択し（Ｓ６０４）、なおかつ立上がり制御ＯＦＦを選択し（Ｓ６０５）、シャッター駆動を行う準備を完了する。
【０１２２】
以下に、ＳＷ２が押される際の動作を記述する。
【０１２３】
シャッタースイッチＳＷ２が押されずに（Ｓ１２５）、さらにシャッタースイッチＳＷ１も解除されたならば（Ｓ１２６）、Ｓ１０３に戻る。
【０１２４】
シャッタースイッチＳＷ２が押されたならば（Ｓ１２５）、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。
【０１２５】
この撮影処理Ｓ１２９の詳細は図７を用いて後述する。
【０１２６】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。
【０１２７】
この記録処理Ｓ１３４の詳細は図８を用いて後述する。
【０１２８】
記録処理Ｓ１３４が終了した際に、シャッタースイッチＳＷ２が押された状態であったならば（Ｓ１３５）、システム制御回路５０はシステム制御回路５０の内部メモリ或いはメモリ５２に記憶される連写フラグの状態を判断し（Ｓ１３６）、連写フラグが設定されていたならば、連続して撮影を行うためにＳ１２９に戻り、次の撮影を行う。
【０１２９】
連写フラグが設定されていないならば（Ｓ１３６）、シャッタースイッチＳＷ２が放されるまで（Ｓ１３５）、現在の処理を繰り返す。
【０１３０】
記録処理Ｓ１３４が終了した際にシャッタースイッチＳＷ２が放された状態であったならば（Ｓ１３５）、システム制御回路５０は、シャッター制御手段への設定電流値の出力を停止し（Ｓ５０６）、Ｓ１３８に進む（Ｓ１３７）。
【０１３１】
システム制御回路５０は、画像表示フラグが設定されていたならば（Ｓ１３８）、画像表示部２８の表示状態をスルー表示状態に設定して（Ｓ１３９）、Ｓ１４１に進む。
【０１３２】
画像表示フラグが解除されていたならば（Ｓ１３８）、画像表示部２８の画像表示をＯＦＦ状態に設定して（Ｓ１４０）、Ｓ１４１に進む。
【０１３３】
シャッタースイッチＳＷ１が押された状態であったならば（Ｓ１４１）、システム制御回路５０は、Ｓ１２５に戻って次の撮影に備える。
【０１３４】
シャッタースイッチＳＷ１が放された状態であったならば（Ｓ１４１）、システム制御回路５０は、一連の撮影動作を終えてＳ１０３に戻る。
（以上で、メインルーチン終わりである。）。
【０１３５】
図１１は、図９のＳ１２２における測距・測光処理の詳細なフローチャートを示す。
（これは、ＳＷ１が押されたときの処理ルーチンである。）。
【０１３６】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１３７】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１３８】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【０１３９】
ＡＥ制御で得られた測定データを用いて、システム制御回路５０はフラッシュが必要か否かを判断し（Ｓ２０４）、フラッシュが必要ならばフラッシュ・フラグをセットし、フラッシュ４８を充電する（Ｓ２０５）。
【０１４０】
露出（ＡＥ）が適正と判断したならば（Ｓ２０２）、測定データ及び或いは設定パラメータをシステム制御回路５０の内部メモリ或いはメモリ５２に記憶する。
【０１４１】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【０１４２】
ホワイトバランス（ＡＷＢ）が適正と判断したならば（Ｓ２０６）、測定データ及び或いは設定パラメータをシステム制御回路５０の内部メモリ或いはメモリ５２に記憶する。
【０１４３】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【０１４４】
測距（ＡＦ）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【０１４５】
図１２は、図９のＳ１２９における撮影処理の詳細なフローチャートを示す。
（これは、ＳＷ２が押されたときの処理ルーチンである。）。
【０１４６】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【０１４７】
フラッシュ・フラグによりフラッシュ４８が必要か否かを判断し（Ｓ３０３）、必要な場合はフラッシュを発光させる（Ｓ３０４）。
【０１４８】
システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【０１４９】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１５０】
システム制御回路５０は、メモリ３０から画像データを読み出し、メモリ制御回路２２を介して画像表示メモリ２４に表示画像データの転送を行う（Ｓ３１１）。
【０１５１】
一連の処理を終えたならば、撮影処理ルーチンＳ１２９を終了する。
【０１５２】
図１３は、図９のＳ１３４における記録処理の詳細なフローチャートを示す。
（これは、撮影後にＣＦへ書込む迄の処理ルーチンである。）。
【０１５３】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【０１５４】
そして、メモリ３０に書き込まれた画像データを読み出して、設定したモードに応じた画像圧縮処理を圧縮・伸長回路３２により行った後（Ｓ４０２）、インターフェース９０或いは９４、コネクタ９２或いは９６を介して、メモリカードやコンパクトフラッシュ（登録商標）カード等の記録媒体２００或いは２１０へ圧縮した画像データの書き込みを行う（Ｓ４０３）。
【０１５５】
記録媒体への書き込みが終わったならば、記録処理ルーチンＳ１３４を終了する。
（以上で、定型サブルーチン終わり。）。
【０１５６】
以上、図５、図６を用いて本発明の実施例の説明を行った。
【０１５７】
次に、変形例を羅列する。
【０１５８】
なお、実施例の説明に於いては、画像表示部２８をＯＦＦする場合に、画像表示部２８を構成する全ての要素をＯＦＦするとして説明したが、画像表示部２８の要素の一部をＯＦＦするだけでも勿論問題ない。この場合でも、撮影画像の確認と省電力を共に行う機能を備えることが出来る。例えば、画像表示部２８がＬＣＤとバックライトから構成されている場合、ＬＣＤがＯＮのままバックライトのみをＯＦＦしても、実施例での説明同様、撮影画像の確認と省電力を共に行う機能を備えることが出来る。
【０１５９】
また、画像表示ＯＮ／ＯＦＦスイッチ６６とクイックレビューＯＮ／ＯＦＦスイッチ６８は、それぞれ独立した構成として説明したが、画像表示ＯＮ／ＯＦＦスイッチ６６とクイックレビューＯＮ／ＯＦＦスイッチ６８を一つの兼用スイッチとしてまとめ、画像表示ＯＮ／クイックレビューのみ画像表示ＯＮ／画像表示ＯＦＦの３ポジションを備える構成としても勿論問題ない。
【０１６０】
そして、画像表示部２８によるクイックレビュー表示を終える指示を行った際に、最低時間クイックレビュー表示を継続するミニマムレビュー時間の経過を判断するとして説明したが、ミニマムレビュー時間を設定しない構成としても勿論問題無い。この場合、図５に於いて、Ｓ１３７でのミニマムレビュー時間の経過を判断する処理を除去したフローチャートとすれば良い。
【０１６１】
また、スルー表示とクイックレビュー表示を行うそれぞれ専用の画像表示部を備える構成として、それらの表示部のＯＮ／ＯＦＦを画像表示ＯＮ／ＯＦＦスイッチ及びクイックレビューＯＮ／ＯＦＦスイッチの設定に応じて行う構成としても構わない。この場合も、実施例の説明と同様に、撮影画像の確認と省電力を共に行う機能を備えることが出来る。
【０１６２】
そして、画像表示ＯＮ／ＯＦＦスイッチがＯＮの場合はクイックレビューＯＮ／ＯＦＦスイッチの設定に関わらず撮影直後のクイックレビュー表示を行うものとして説明を行ったが、画像表示ＯＮ／ＯＦＦスイッチがＯＮの場合にクイックレビューＯＮ／ＯＦＦスイッチの設定に応じてクイックレビュー表示を行うか否かを決定するようにしても構わない。
【０１６３】
なお、記録媒体２００及び２１０は、ＰＣＭＣＩＡカードやコンパクトフラッシュ(登録商標)等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０１６４】
また、記録媒体２００及び２１０がメモリカードとハードディスク等が一体となった複合媒体であっても勿論問題無い。さらに、その複合媒体から一部が着脱可能な構成としても勿論問題無い。
【０１６５】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０１６６】
また、画像処理装置１００に記録媒体２００或いは２１０が、単数或いは複数の任意の個数接続可能な構成であっても構わない。
【０１６７】
そして、画像処理装置１００に記録媒体２００及び２１０が装着する構成として説明したが、記録媒体は単数或いは複数、何れかの組み合わせの構成であっても、勿論問題無い。
【図面の簡単な説明】
【０１６８】
【図１】チョッパー方式電流制御での電流波形（二次電池電圧が高い時）の模式図である。
【図２】チョッパー方式電流制御での電流波形（二次電池電圧が低い時）の模式図である。
【図３】立ち上がり制御を行わなかった時の二次電池電圧と有効露出時間と関係についての特性図である。
【図４】立ち上がり制御を行った時の二次電池電圧と有効露出時間と関係についての特性図である。
【図５】本発明の主な代表的な構成図である。
【図６】本発明の一実施例の構成ブロック図である。
【図７】本発明の一実施例のシャッター制御ブロック図である。
【図８】本実施例における主ルーチンのフローチャートの一部である。
【図９】本実施例における主ルーチンのフローチャートの一部である。
【図１０】シャッター駆動モード決定ルーチンのフローチャートである。
【図１１】本実施例の測距・測光ルーチンのフローチャートである。
【図１２】本実施例の撮影ルーチンのフローチャートである。
【図１３】本実施例の記録ルーチンのフローチャートである。
【符号の説明】
【０１６９】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
５００  シャッター制御手段
５０２  絞り制御手段
５０４  二次電池電圧検知手段
５１０  シャッター・ドライブ・ブロック
５１２  ＯＦＦ時間切替えブロック
５１４  立ち上がり制御切替えブロック
【図１】
2007133141.tif 000003
【図２】
2007133141.tif 000004
【図３】
2007133141.tif 000005
【図４】
2007133141.tif 000006
【図５】
2007133141.tif 000007
【図６】
2007133141.tif 000008
【図７】
2007133141.tif 000009
【図８】
2007133141.tif 000010
【図９】
2007133141.tif 000011
【図１０】
2007133141.tif 000012
【図１１】
2007133141.tif 000013
【図１２】
2007133141.tif 000014
【図１３】
2007133141.tif 000015